(57)【要約】【課題】シートの搬送への影響を少なくしつつ、ガイド部材の回動軌跡を小さくする手段を提供する。【解決手段】複合機１０は、シートが載置される給送カセット３０と、給送カセット３０から延出する搬送路８０を有する筐体１４と、給送カセット３０からシートを給送する給送ローラ４５と、搬送路６５においてシートを搬送する第１搬送ローラ６０と、搬送路６５を搬送されるシートに画像を記録する記録部２４と、搬送路８０を規定する起立状態及び搬送路８０を開放する倒伏状態に回動可能なガイド部材２２と、搬送路８０の湾曲部分の内側を規定する外側ガイド部材１８と、ガイド部材２２の回動先端側に回動可能に設けられて、外側位置及び内側位置に回動可能なガイド部材３４と、を具備する。【選択図】図４
2015110461.tif 000002
【特許請求の範囲】
【請求項１】
シートが載置される第１トレイと、
上記第１トレイから上側へ湾曲した湾曲部分及び当該湾曲部分に連続する延出部分を有する第１搬送路を有する筐体と、
上記第１トレイからシートを上記第１搬送路に沿って給送する給送ローラと、
上記第１搬送路において上記給送ローラの搬送向き下流側に配置されており、シートを搬送する搬送ローラと、
上記第１搬送路において上記搬送ローラの上記搬送向き下流側に配置されており、上記第１搬送路の延出部分を搬送されるシートに画像を記録する記録部と、
上記搬送ローラより上記搬送向き下流側に配置されており、上記第１搬送路の湾曲部分の外側を規定するとともに、上記搬送向きの下流側を軸とし上記搬送向きの上流側を回動先端側として回動されることによって、上記湾曲部分を規定する第１位置、及び上記湾曲部分を開放する第２位置に移動可能な第１ガイド部材と、
上記第１搬送路の湾曲部分の内側を規定する第２ガイド部材と、
上記第１ガイド部材の回動先端側に回動可能に設けられて、その回動先端が上記第１ガイド部材の回動先端から上記搬送向きへ突出されており、その回動先端が上記第１ガイド部材に対して湾曲外側に位置する第３位置、及びその回動先端が当該第３位置より上記第１ガイド部材に対して湾曲内側に位置する第４位置に移動可能な第３ガイド部材と、を備えた画像記録装置。
【請求項２】
シートが載置される第２トレイと、
上記筐体に設けられており、上記第２トレイから延出されており、上記搬送ローラより上記搬送向き上流側において上記第２搬送路と接続される第２搬送路と、を更に具備しており、
上記第３ガイド部材は、上記第１ガイド部材に対して湾曲内側を向いた第１面により上記第１トレイから供給されたシートを案内し、上記第１ガイド部材に対して湾曲外側を向いた第２面により上記第２トレイから供給されたシートを案内するものである請求項１に記載の画像記録装置。
【請求項３】
上記第３ガイド部材は、上記第１ガイド部材において上記搬送向きと直交する幅方向の一部に配置されたものである請求項１又は２に記載の画像記録装置。
【請求項４】
上記第１ガイド部材に、上記第２ガイド部材側へ突出して上記搬送向きに沿って延びるリブが設けられており、上記幅方向において上記第３ガイド部材に対応する位置のリブは、その両側に配置されたリブより上記第２ガイド部材側へ突出している請求項３に記載の画像記録装置。
【請求項５】
上記第１位置の上記第１ガイド部材において、上記第３ガイド部材の回動先端は、上記搬送ローラの近傍に位置する請求項１から４のいずれかに記載の画像記録装置。
【請求項６】
上記第１位置の上記第１ガイド部材において、上記第３ガイド部材の回動先端は、上記第２ガイド部材と当接することによって上記第４位置に支持され、
上記第１位置から上記第２位置へ上記第１ガイド部材が移動して、上記第３ガイド部材の回動先端が上記第２ガイド部材から離れることによって、上記第３ガイド部材回動先端は、上記第４位置より上記第１ガイド部材に対して湾曲内側に位置する第５位置に移動する請求項１から５のいずれかに記載の画像記録装置。
【発明の詳細な説明】
【技術分野】
【０００１】
本発明は、搬送路に沿ってシートを搬送して画像記録を行う画像記録装置に関する。
【背景技術】
【０００２】
装置筐体の内部に搬送経路が設けられており、搬送経路に沿って搬送されるシートに画像を記録する画像記録装置が知られている。画像記録装置には、複数枚のシートを支持する給紙カセットを有するものがある。また、給紙カセットとは別に、シートを搬送経路へ案内するための手差しトレイを有する画像記録装置がある（特許文献１）。
【０００３】
メンテナンスや紙詰まりの解消のために、Ｕターン搬送路を規定するガイド部材が、回動しない（固定の）ガイド部材と、回動軸を中心として回動可能なガイド部材とから構成されている画像記録装置がある。この回動可能なガイド部材は、回動軸の回動中心方向に沿った側面視で略Ｌ字形状である。この構成によれば、回動可能なガイド部材の一部をユーザが回動させてユーザがＵターン搬送路を開放することにより、画像記録装置内のＵターン搬送路に対してユーザが外部からアクセス可能となる（特許文献２）。
【先行技術文献】
【特許文献】
【０００４】
【特許文献１】特開２０１３−１６６６２３号公報
【特許文献２】特開２０１３−１７３８４１号公報
【発明の概要】
【発明が解決しようとする課題】
【０００５】
前述された手差しトレイとガイド部材（Ｕターン搬送路の一部を構成するとともに回動可能なガイド部材）とを両方備える画像記録装置においては、回動されるガイド部材が手差しトレイに衝突することがないように、ガイド部材の回動軌跡に手差しトレイを配置できない。そのため、各部材のレイアウトに制限があり、画像記録装置全体の装置サイズを小型化できないという問題がある。
【０００６】
また、手差しトレイに衝突することがないように回動可能なガイド部材を小さくすると、別の問題が生じるおそれがある。回動可能なガイド部材を小さくするということは、回動するガイド部材の回動軌跡の半径を小さくするということである。換言すれば、回動するガイド部材のうち回動の中心から最も遠い部位までの距離を短くすることである。前述されたように、回動するガイド部材は、回動軸の回動中心方向に沿った側面視において略Ｌ字形状であるため、回動の中心から最も遠い部位とは、搬送されるシートをガイドするガイド面のうち、最も先端に設けられている部位（Ｌ字形状の長辺の末端を回動の中心としたとき、Ｌ字形状の短辺の末端）になると考えられる。この部位を短くするということは、すなわち、画像記録装置の内部において搬送路を規定するガイド部材のうち、回動しない（固定の）ガイド部材と回動可能なガイド部材との継ぎ目が搬送路において大きくなり、シートの円滑な搬送が実現できなくなるおそれがあるということである。
【０００７】
本発明は、上記問題に鑑みてなされたものであり、その目的は、シートの搬送への影響を少なくしつつ、ガイド部材の回動軌跡を小さくする手段を提供することにある。
【課題を解決するための手段】
【０００８】
(1)  本発明に係る画像記録装置は、シートが載置される第１トレイと、上記第１トレイから上側へ湾曲した湾曲部分及び当該湾曲部分に連続する延出部分を有する第１搬送路を有する筐体と、上記第１トレイからシートを上記第１搬送路に沿って給送する給送ローラと、上記第１搬送路において上記給送ローラの搬送向き下流側に配置されており、シートを搬送する搬送ローラと、上記第１搬送路において上記搬送ローラの上記搬送向き下流側に配置されており、上記第１搬送路の延出部分を搬送されるシートに画像を記録する記録部と、上記搬送ローラより上記搬送向き下流側に配置されており、上記第１搬送路の湾曲部分の外側を規定するとともに、上記搬送向きの下流側を軸とし上記搬送向きの上流側を回動先端側として回動されることによって、上記湾曲部分を規定する第１位置、及び上記湾曲部分を開放する第２位置に移動可能な第１ガイド部材と、上記第１搬送路の湾曲部分の内側を規定する第２ガイド部材と、上記第１ガイド部材の回動先端側に回動可能に設けられて、その回動先端が上記第１ガイド部材の回動先端から上記搬送向きへ突出されており、その回動先端が上記第１ガイド部材に対して湾曲外側に位置する第３位置、及びその回動先端が当該第３位置より上記第１ガイド部材に対して湾曲内側に位置する第４位置に移動可能な第３ガイド部材と、を具備する。
【０００９】
第１ガイド部材が第１位置の状態において、第１トレイから第１搬送路へシートが供給されると、第１ガイド部材と第２ガイド部材との間、すなわち湾曲部分をシートが搬送される。湾曲部分を搬送されるシートの先端は、第３ガイド部材に当接する。シートとの当接によって、第３ガイド部材は第３位置に維持される。第３位置の第３ガイド部材によって、シートは、第１ガイド部材の回動先端より搬送向き下流側まで案内される。
【００１０】
第１ガイド部材が第１位置から第２位置へ回動されるときに、第３ガイド部材が第４位置に位置されることによって、第１ガイド部材の回動軌跡が小さくなる。
【００１１】
(2)  上記画像記録装置は、シートが載置される第２トレイと、上記筐体に設けられており、上記第２トレイから延出されており、上記搬送ローラより上記搬送向き上流側において上記第２搬送路と接続される第２搬送路と、を更に具備しており、上記第３ガイド部材は、上記第１ガイド部材に対して湾曲内側を向いた第１面により上記第１トレイから供給されたシートを案内し、上記第１ガイド部材に対して湾曲外側を向いた第２面により上記第２トレイから供給されたシートを案内するものであってもよい。
【００１２】
これにより、第３ガイド部材が、第１搬送路及び第２搬送路のそれぞれのガイド面として機能する。
【００１３】
(3)  上記第３ガイド部材は、上記第１ガイド部材において上記搬送向きと直交する幅方向の一部に配置されたものであってもよい。
【００１４】
これにより、第３ガイド部材の重量が軽くなり、第３ガイド部材が容易に回動可能となる。
【００１５】
(4)  上記第１ガイド部材に、上記第２ガイド部材側へ突出して上記搬送向きに沿って延びるリブが設けられており、上記幅方向において上記第３ガイド部材に対応する位置のリブは、その両側に配置されたリブより上記第２ガイド部材側へ突出していてもよい。
【００１６】
これにより、第３ガイド部材と当接するシートの一部分が主として案内されて、シートが搬送される。
【００１７】
(5)  上記第１位置の上記第１ガイド部材において、上記第３ガイド部材の回動先端は、上記搬送ローラの近傍に位置していてもよい。
【００１８】
これにより、シートが搬送ローラに当接する位置が安定する。
【００１９】
(6)  上記第１位置の上記第１ガイド部材において、上記第３ガイド部材の回動先端は、上記第２ガイド部材と当接することによって上記第４位置に支持され、上記第１位置から上記第２位置へ上記第１ガイド部材が移動して、上記第３ガイド部材の回動先端が上記第２ガイド部材から離れることによって、上記第３ガイド部材回動先端は、上記第４位置より上記第１ガイド部材に対して湾曲内側に位置する第５位置に移動するものであってもよい。
【００２０】
これにより、第１ガイド部材が第１位置から第２位置へ回動されるときに、第３ガイド部材が第５位置に位置されることによって、第１ガイド部材の回動軌跡が更に小さくなる。
【発明の効果】
【００２１】
本発明によれば、第１ガイド部材の回動先端に、第３ガイド部材が回動可能に設けられているので、シートの搬送への影響を少なくしつつ、第１ガイド部材の回動軌跡を小さくすることができる。
【図面の簡単な説明】
【００２２】
【図１】図１は、可動部６９が起立状態の複合機１０の前面側を示す斜視図である。
【図２】図２は、可動部６９が起立状態の複合機１０の後面側を示す斜視図である。
【図３】図３は、ガイド部材２２が倒伏状態の複合機１０の後面側を示す斜視図である。
【図４】図４は、プリンタ部１１の内部構造を示す縦断面図である。
【図５】図５は、ガイド部材２２及びガイド部材３４の湾曲内側を示す斜視図である。
【図６】図６は、ガイド部材２２及びガイド部材３４の湾曲外側を示す斜視図である。
【図７】図７は、図４におけるガイド部材３４付近を示す拡大図である。
【図８】図８は、図４において記録用紙１００が通過する状態のガイド部材３４付近を示す拡大図である。
【図９】図９は、図４において起立状態から倒伏状態へガイド部材２２が回動されるときのガイド部材３４付近を示す拡大図である。
【発明を実施するための形態】
【００２３】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２４】
［複合機１０の全体構成］
図１から図３に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。プリンタ部１１が画像記録装置に相当する。
【００２５】
プリンタ部１１は、前面に開口１３が形成された筐体１４を有している。開口１３には、各種サイズの記録用紙を載置可能な給送トレイ２０及び排出トレイ２１が、前後方向８に挿抜可能に設けられている。給送トレイ２０の下方に給送カセット３０が設けられている。給送カセット３０は、給送トレイ２０には独立して各種サイズの記録用紙が載置可能である。給送カセット３０の底面が、複合機１０が設置される載置面に当接する。
【００２６】
図４に示されるように、プリンタ部１１は、給送トレイ２０から記録用紙を給送する給送部１５、給送カセット３０から記録用紙を給送する給送部３６、記録用紙に画像を記録する記録部２４、記録用紙を搬送する第１搬送ローラ対５４及び第２搬送ローラ対５５などを備えている。
【００２７】
図１から図３に示されるように、プリンタ部１１の上部には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２８】
［プリンタ部１１］
以下、プリンタ部１１の詳細な構造が説明される。
【００２９】
［給送トレイ２０］
給送トレイ２０は、前後方向８及び左右方向９の長さが上下方向７の長さよりも長い外形であって、上方が開放された箱型の形状を有している。給送トレイ２０の前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に収容されている。この給送トレイ２０は、開口１３を通じて筐体１４に対して前後方向８に沿って進退可能である。
【００３０】
［給送部１５］
図４に示されるように、給送部１５は、給送ローラ２５、給送アーム２６、駆動伝達機構２７及び分離パッド２３を備えている。給送部１５は、給送トレイ２０の上方であって記録部２４の下方に設けられている。給送ローラ２５は、給送アーム２６の先端部に回転可能に軸支されている。給送アーム２６は、基端部に設けられた軸２８を中心として、矢印２９の方向に回動する。給送アーム２６の回動に伴って、給送ローラ２５は、給送トレイ２０の支持面に対して当接及び離間する。したがって、記録用紙を収容した給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面に給送ローラ２５が当接する位置には分離パッド２３が設けられている。分離パッド２３は、記録用紙に対して、給送トレイ２０の支持面の摩擦係数よりも大きな摩擦係数を有する素材で形成されている。
【００３１】
給送ローラ２５には、モータ（不図示）の駆動力が駆動伝達機構２７を通じて伝達される。駆動伝達機構２７は、軸２８に伝達された回転を、複数のギヤが噛合されてなるギヤ列により給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材３５と当接する。その結果、一番上側の記録用紙のみが下側の記録用紙から分離されて搬送される。そして、分離部材３５と当接した下側の記録用紙は、最上位置の記録用紙に引き摺られることなく給送トレイ２０内に収容されたままで保持される。
【００３２】
［給送カセット３０］
給送カセット３０は、前後方向８及び左右方向９の長さが上下方向７の長さよりも長い外形であって、上方が開放された箱型の形状を有している。給送カセット３０は、前後方向８及び左右方向９において給送トレイ２０とほぼ同じ外形であり、給送トレイ２０の下方に配置されている。給送カセット３０には、例えば日本工業規格によるＡ４サイズから写真記録に用いられるＬ版などの大小様々なサイズの記録用紙を支持面で支持することにおり記録用紙を収容可能である。この給送カセット３０は、筐体１４に対して前後方向８に沿って進退可能である。給送カセット３０が第１トレイに相当する。
【００３３】
［給送部３６］
図４に示されるように、給送部３６は、給送ローラ４５、給送アーム４６、駆動伝達機構４７及び分離パッド３７を備えている。給送部３６は、給送トレイ２０の下方であって給送カセット３０の上方に設けられている。給送ローラ４５は、給送アーム４６の先端部に回転可能に軸支されている。給送アーム４６は、基端部に設けられた軸４８を中心として、矢印４９の方向に回動する。これにより、給送ローラ４５は、給送カセット３０の支持面に対して当接及び離間する。したがって、記録用紙を収容した給送カセット３０が筐体１４内に装着されたとき、給送ローラ４５は、給送カセット３０に収容された記録用紙に当接可能である。記録用紙を収容していない給送カセット３０が筐体１４内に装着されたとき、給送カセット３０の支持面に給送ローラ４５が当接する位置には分離パッド３７が設けられている。分離パッド３７は、記録用紙に対して、給送カセット３０の支持面の摩擦係数よりも大きな摩擦係数を有する素材で形成されている。
【００３４】
給送ローラ４５には、モータ（不図示）の駆動力が駆動伝達機構４７を通じて伝達される。駆動伝達機構４７は、軸４８に伝達された回転を複数のギヤが噛合されてなるギヤ列により給送ローラ４５の軸へ伝達する。給送ローラ４５が、給送カセット３０の支持面上に支持された記録用紙のうち一番上側の記録用紙に当接された状態で回転することにより、当該記録用紙が搬送経路８０へ給送される。記録用紙が搬送経路８０へ給送されるとき、記録用紙の先端が、給送カセット３０の前後方向８の後側に設けられた分離部材３８と当接する。その結果、一番上側の記録用紙のみが下側の記録用紙から分離されて搬送される。そして、分離部材３８と当接した下側の記録用紙は、最上位置の記録用紙に引き摺られることなく給送カセット３０内に収容されたままで保持される。
【００３５】
［搬送経路６５］
図４に示されるように、筐体１４の内部空間に設けられた搬送経路６５は、給送トレイ２０の後側から上方へＵターンするように湾曲して延び、さらにプリンタ部１１の後側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。直線路６５Ｂが延出部分に相当する。
【００３６】
湾曲路６５Ａは、記録用紙が通過可能な空間を隔てて対向する外側ガイド部材１８、内側ガイド部材１９、及びガイド部材３１によって規定されている。直線路６５Ｂは、シートが通過可能な空間を隔てて対向する記録部２４及びプラテン４２、並びにガイド部材３２及びガイド部材３３によって規定されている。
【００３７】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。
【００３８】
外側ガイド部材１８は、湾曲路６５Ａに沿って記録用紙が搬送されるとき、外側の案内面を構成する部材である。内側ガイド部材１９は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００３９】
ガイド部材３１は、第１搬送ローラ対５４の直上流（後側）において内側ガイド部材１９の上方に配置されている。外側ガイド部材１８及びガイド部材３１は、後述されるバイパス経路６６を規定する部材でもある。
【００４０】
［搬送経路８０］
図４に示されるように、筐体１４の内部空間に設けられた搬送経路８０は、給送カセット３０後側から上方へＵターンするように湾曲して延び、第１搬送ローラ対５４の直上流側（後側）において、搬送経路６５に接続されている。搬送経路８０が湾曲部分に相当する。また、搬送経路８０及び搬送経路６５の直線路６５Ｂによって第１搬送路が構成されている。
【００４１】
搬送経路８０は、記録用紙が通過可能な空間を隔てて対向する外側ガイド部材１８及びガイド部材２２によって規定されている。外側ガイド部材１８は、搬送経路６５の湾曲路６５Ａの湾曲外側を規定するものであるが、湾曲外側の面が、搬送経路８０においては、湾曲内側を規定している。ガイド部材２２は、搬送経路８０において湾曲外側を規定している。ガイド部材２２の詳細な構成については後述される。外側ガイド部材１８が第２ガイド部材に相当する。
【００４２】
給送カセット３０の給送ローラ４５によって搬送経路８０に沿って給送された記録用紙は、下方から上方へ向かって搬送向きが反転され、第１搬送ローラ対５４の直上流において搬送経路６５に進入する。
【００４３】
［第１搬送ローラ対５４及び第２搬送ローラ対５５］
図４に示されるように、搬送経路６５における記録部２４よりも搬送向き（前後方向８の前向き）の上流側には、第１搬送ローラ対５４が設けられている。第１搬送ローラ対５４は、第１搬送ローラ６０とピンチローラ６１とを有する。搬送経路６５において、記録部２４よりも搬送向きの下流側には、第２搬送ローラ対５５が設けられている。第２搬送ローラ対５５は、第２搬送ローラ６２と拍車ローラ６３とを有する。第１搬送ローラ６０及び第２搬送ローラ６２は、モータ（不図示）の回転が伝達されて回転する。第１搬送ローラ対５４及び第２搬送ローラ対５５は、それぞれを構成する各ローラの間に記録用紙を挟持した状態において、第１搬送ローラ６０及び第２搬送ローラ６２が回転することによって、記録用紙を搬送する。第１搬送ローラ６０が搬送ローラに相当する。
【００４４】
［記録部２４］
図４に示されるように、第１搬送ローラ対５４と第２搬送ローラ対５５との間に記録部２４が設けられている。記録部２４は、キャリッジ４１と記録ヘッド３９とを備えている。キャリッジ４１は、プラテン４２の後側及び前側に設けられたガイドレール４３，４４によって左右方向９に往復動可能に支持されている。ガイドレール４４には、公知のベルト機構が設けられている。キャリッジ４１は、ベルト機構の無端ベルトと連結されており、無端ベルトの回動によってガイドレール４３，４４に沿って左右方向９に往復動する。キャリッジ４１と記録ヘッド３９とが、プラテン４２と空間を隔てて対向しているとき、キャリッジ４１、記録ヘッド３９及びプラテン４２は直線路６５Ｂの一部を規定する。
【００４５】
記録ヘッド３９は、キャリッジ４１に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４１が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００４６】
［バイパス経路６６］
筐体１４の後面においてガイド部材２２の上方に開口６４が設けられている。筐体１４の内部には、開口６４から第１搬送ローラ対５４へと延びるバイパス経路６６が形成されている。バイパス経路６６は、筐体１４の内部において、前後方向８の後方から前方へ斜め下方に向かって延びる経路である。バイパス経路６６は、ガイド部材３１、外側ガイド部材１８及び後面カバー２２によって規定されている。ガイド部材３１は、バイパス経路６６に沿って記録用紙が搬送されるとき、上側の案内面を構成する部材である。外側ガイド部材１８及びガイド部材２２は、バイパス経路６６に沿って記録用紙が搬送されるとき、下側の案内面を構成する部材である。搬送経路６５の湾曲路６５Ａ及び直線路６５Ｂ、並びに搬送経路８０は、いずれもバイパス経路６６より下方に配置されている。外側ガイド部材１８及びガイド部材２２が上側が後ろ向きへ倒伏するように回動することによって、搬送経路６５の一部及び搬送経路８０の一部と共にバイパス経路６６の一部が筐体１４の外方に開放（露出）される。
【００４７】
後述されるバイパストレイ７０に収容された記録用紙は、バイパス経路６６に沿って斜め下方へ案内される。その記録用紙は、搬送経路６５の直線路６５Ｂに沿って案内され、第１搬送ローラ対５４により搬送される。その記録用紙は、更に記録部２４によって画像記録が行われて、排出トレイ２１へ排出される。このように、バイパストレイ７０に収容された記録用紙は、ほぼ直線形状の経路（記録用紙の表面と裏面とが上下方向７において反転することのない経路）に沿って搬送される。バイパス経路６６が第２搬送路に相当する。
【００４８】
［バイパストレイ７０］
図１から図４に示されるように、複合機１０の後面側には、バイパストレイ７０が設けられている。バイパストレイ７０は、給送トレイ２０とは独立して記録用紙を収容するものである。バイパストレイ７０が第２トレイに相当する。
【００４９】
筐体１４の後面側には、開口６４（図７〜図９参照）を覆うようにして下方へ延びる固定部６８が設けられている。固定部６８は、バイパストレイ７０の搬送向き下流側の一部を構成している。図４に示されるように、固定部６８の上側には、可動部６９が固定部６８に対して回動可能に設けられている。固定部６８及び可動部６９によって、バイパストレイ７０が構成されている。
【００５０】
固定部６８の下側には、分離片７２が設けられている。分離片７２は、上下方向７において開口６４とほぼ同等の高さに位置されている。分離片７２の上面は、バイパストレイ７０に支持される記録用紙の先端が当接する面である。分離片７２の上面には、複数の歯７３（図４、図７〜図９参照）が前後方向８に沿って並んで、上面から上方へ突出されている。歯７３によって、バイパストレイ７０に支持される複数枚の記録用紙の先端が捌かれる。
【００５１】
可動部６９は、固定部６８の上側に固定部６８に対して回動可能に設けられている。可動部６９は、各図に示されるように、支持部材８８の支持面９０が上下方向７に沿って起立した起立状態と、起立状態から矢印５０（図４参照）へ回動して、上下方向７に対して支持面９０が傾斜した倒伏状態（図示せず）との間で回動可能である。起立状態とは、筐体１４の後面側における可動部６９のためのスペースを小さくするための状態であり、バイパストレイ７０の不使用状態である。起立状態である可動部６９の後面は、筐体１４の後面と略平行となっている。倒伏状態とは、可動部６９が筐体１４の外側へ向かって斜め上方へ傾斜した状態であり、バイパストレイ７０の使用状態である。可動部６９を起立状態とするか倒伏状態とするかは、ユーザが任意に操作することにより選択可能である。
【００５２】
可動部６９の上端には、トレイカバー９４が設けられている。トレイカバー９４は、支持部材８８に対して左右方向９に沿って延びる軸（図示せず）の周りに回動可能に設けられている。トレイカバー９４は、バイパストレイ７０の上端側の開口を封止して支持面９０側の空間を覆うことが可能な平板形状の部材である。
【００５３】
各図に示されるように、可動部６９が起立状態でああるとき、トレイカバー９４は、バイパストレイ７０の上端側の開口を覆う位置に回動可能である。また、可動部６９が倒伏状態にあるとき、トレイカバー９４は、バイパストレイ７０の上端側の開口を開放する位置に回動可能である。倒伏状態にある可動部６９に対して、トレイカバー９４が、バイパストレイ７０の上端側を開放する位置にあるとき、トレイカバー９４は、支持面９０を延長するように斜め上方へ延びており、支持面９０から突出した記録用紙の上端側を支持可能である。
【００５４】
なお、各図には示されていないが、バイパストレイ７０には、給送部１５と同様の給送部が設けられている。すなわちアームの先端側に支持された給送ローラが支持面９０の上方に設けられており、モータから駆動伝達されて給送ローラが回転することによって、バイパストレイ７０の支持面９０に支持された記録用紙のうち一番上側の記録用紙がバイパス経路６６へ給送される。一番上側の記録用紙より下側の記録用紙は、分離片７２の歯７３によって捌かれて、一番上側の記録用紙に引き摺られることなくバイパストレイ７０に保持される。
【００５５】
［ガイド部材２２］
図２から図４に示されるように、ガイド部材２２は、筐体１４に対して回動可能に支持されて、筐体１４の後面の一部を構成する部材である。ガイド部材２２は、下側の左右両端に設けられた軸７６（図５，６参照）が筐体１４に支持されている。ガイド部材２２が軸７６を回動の中心として筐体１４に対して回動されたとき、すなわち、図３に示されるように、ガイド部材２２の上側（回動先端側）が筐体１４に対して後ろ向きへ倒伏するように回動したとき、搬送経路８０の一部及びバイパス経路６６の一部が筐体１４の外方に開放（露出）される。ガイド部材２２が第１ガイド部材に相当する。
【００５６】
外側ガイド部材１８も、ガイド部材２２と同様に、下側の左右両端において筐体１４に対して回動可能に軸支されている。図３に示されるように、ガイド部材２２が倒伏する開放状態において、外側ガイド部材１８も、下側の左右方向９に沿った回動軸（図示せず）の周りに、上側が後ろ向きへ倒伏するように回動可能である。各図には示されていないが、外側ガイド部材１８が後ろ向きへ倒伏するように回動することにより、湾曲路６５Ａの少なくとも一部が筐体１４の外方に開放（露出）される。図２に示されるように、ガイド部材２２が起立状態となるように閉じられると、外側ガイド部材１８は、ガイド部材２２に後方から支持されて起立状態に維持され、内側ガイド部材１９と対向して湾曲路６５Ａを規定する。ガイド部材２２において、起立状態が第１位置に相当し、開放状態が第２位置に相当する。
【００５７】
図５，６に示されるように、ガイド部材２２において搬送経路８０の一部を規定する内面には複数のリブ７７が設けられている。リブ７７は、起立状態のガイド部材２２において上下方向７に沿う搬送向きに沿って延出されている。リブ７７は、ガイド部材２２の左右方向９に間隔を空けて複数が設けられている。複数のリブ７７において、左右方向９の中央に配置されたリブ７７Ａは、他のリブ７７に比べて、湾曲内側、すなわち外側ガイド部材１８へ向かって突出する長さが長い。
【００５８】
ガイド部材２２においてバイパス経路６６の一部を規定する上面７５には、複数のリブ７８が設けられている。リブ７８は、起立状態のガイド部材２２において前後方向８に沿う搬送向きに沿って延出されている。リブ７８は、ガイド部材２２の上面７５において左右方向９に間隔を空けて複数が設けられている。
【００５９】
ガイド部材２２の上面７５において、左右方向９の中央には上下方向７の下方へ凹んだ凹部７９が設けられている。ガイド部材２２の凹部７９には、ガイド部材３４が設けられている。ガイド部材３４は、起立状態のガイド部材２２より上下方向７及び左右方向９の長さが短い部材である。ガイド部材３４は、ガイド部材２２と共に、搬送経路８０の湾曲外側の一部及びバイパス経路６６の下側の一部を規定する。ガイド部材３４が第３ガイド部材に相当する。
【００６０】
ガイド部材３４は、ガイド部材２２によって回動可能に支持されている。ガイド部材２２が起立状態にあるとき、ガイド部材３４は、給紙カセット３０内に収容されている記録用紙の搬送向きの上流側、すなわち上下方向７の下側を基端側、上下方向７の上側を回動先端側として回動可能である。ガイド部材３４の回動先端８１は、ガイド部材２２の端８３より突出している。すなわち、図５及び図７に示されるように、ガイド部材２２が起立状態において、ガイド部材３４の回動先端８１は、ガイド部材２２の端８３より第１搬送ローラ６０に近い。また、ガイド部材３４の回動先端８１は、外側ガイド部材１８の端８６より第１搬送ローラ６０から遠い。
【００６１】
ガイド部材３４の左右方向９の両端は、ガイド部材２２の一部とオーバーラップしており、ガイド部材２２と当接することによって、ガイド部材３４の回動範囲が規制されている。ガイド部材２２が起立状態にあるときは、ガイド部材３４は、回動先端８１がガイド部材２２の湾曲外側に位置する外側位置（図８参照）と、湾曲内側に位置する内側位置（図７参照）とに回動可能である。起立状態のガイド部材２２において、ガイド部材３４に外力が付与されない状態では、ガイド部材３４は自重によって内側位置となる。このとき、「ガイド部材３４の回動先端８１は、外側ガイド部材１８に当接している。換言すれば、ガイド部材３４の回動先端８１は、外側ガイド部材１８に載った状態になっている。ガイド部材２２が起立状態にあるとき、ガイド部材３４において、外側位置が第３位置に相当し、内側位置が第４位置に相当する。
【００６２】
ガイド部材３４は、起立状態のガイド部材２２の上側と同様な湾曲形状である。湾曲形状の内側には、複数のリブ８４が設けられている。リブ８４は、給紙カセット３０から搬送される記録用紙の搬送向きに沿って延出されている。ガイド部材３４の左右方向９に間隔を空けて複数のリブ８４が設けられている。複数のリブ８４の先端によって形成される面が第１面に相当する。
【００６３】
ガイド部材３４の湾曲形状の外側であってガイド部材２２の上面７５に対応する位置には、複数のリブ８５が設けられている。リブ８５は、バイパストレイ７０から搬送される記録用紙の搬送向きに沿って延出されている。ガイド部材２２の左右方向９に間隔を空けて複数のリブ８５が設けられている。複数のリブ８５の先端によって形成される面が第２面に相当する。
【００６４】
［プリンタ部１１の動作］
以下、給送トレイ２０、給送カセット３０及びバイパストレイ７０がそれぞれ用いられたときのプリンタ部１１の動作が説明される。
【００６５】
バイパストレイ７０が用いられないときは、図１に示されるように、可動部６９が起立状態にされる。これにより、平面視における可動部６９の投影面積が小さくなるので、複合機１０の後面側のスペースを小さくすることができる。また、トレイカバー９４がバイパストレイ７０の上端の開口を塞ぐ位置に回動される。なお、複合機１０の後面側に十分なスペースがあれば、バイパストレイ７０が用いられないときでも可動部６９が倒伏状態にされたままであってもよい。
【００６６】
給送トレイ２０が用いられるときには、給送トレイ２０に所望のサイズの記録用紙がセットされる。具体的には、複数枚の記録用紙が積層された状態で、給送トレイ２０に収容される。記録用紙が収容された給送トレイ２０は、開口１３から筐体１４に挿入されて装着状態になる。この状態において、給送トレイ２０に収容された複数枚の記録用紙のうち最上位置の記録用紙に給送ローラ２５が当接する。プリンタ部１１は、ユーザの入力や印刷データなどに基づいて、給送トレイ２０から記録用紙を給送することになる。
【００６７】
印刷開始の指示を受け付けると、プリンタ部１１は不図示のモータを駆動して、給送ローラ２５、第１搬送ローラ対５４、及び第２搬送ローラ対５５を所定のタイミングで回転させる。給送ローラ２５の回転を受けて、給送トレイ２０から最上位置の記録用紙が搬送経路６５に沿って給送される。給送された記録用紙は、搬送経路６５の湾曲路６５Ａに沿って第１搬送ローラ対５４に到達する。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５に挟持されて直線路６５Ｂに沿って搬送され、排出トレイ２１上へ排出される。
【００６８】
給送カセット３０が用いられるときには、同様にして給送カセット３０に所望のサイズの記録用紙１００がセットされる。プリンタ部１１は、ユーザの入力や印刷データなどに基づいて、給送カセット３０から記録用紙１００を給送することになる。
【００６９】
印刷開始の指示を受け付けると、プリンタ部１１は不図示のモータを駆動して、給送ローラ４５、第１搬送ローラ対５４、及び第２搬送ローラ対５５を所定のタイミングで回転させる。給送ローラ４５の回転を受けて、給送カセット３０から最上位置の記録用紙１００が搬送経路８０に沿って給送される。
【００７０】
搬送経路８０において、記録用紙１００はガイド部材２２のリブ７７，７７Ａに沿って案内されて、記録用紙１００の先端がガイド部材３４に到達する。図７に示されるように、記録用紙１００が当接されていない状態では、ガイド部材３４は、自重によって内側位置に位置している。図８に示されるように、内側位置のガイド部材３４に記録用紙１００の先端が当接して、さらに記録用紙１００が搬送されることによって、内側位置のガイド部材３４が押し上げられて外側位置へ回動する。
【００７１】
記録用紙１００は、外側位置のガイド部材３４のリブ８４に沿って案内されて第１搬送ローラ対５４に到達する。第１搬送ローラ対５４に挟持されて記録部２４へ搬送された記録用紙１００に対して、記録ヘッド３９からインク滴が吐出されて所望の画像が記録される。画像記録を終えた記録用紙１００は、第２搬送ローラ対５５に挟持されて直線路６５Ｂに沿って搬送され、排出トレイ２１上へ排出される。
【００７２】
バイパストレイ７０が用いられるときは、可動部６９が倒伏状態にされる。また、トレイカバー９４は、バイパストレイ７０の上端側の開口を開放する位置へ回動される。バイパストレイ７０には、複数枚の記録用紙が積層された状態で、バイパストレイ７０の支持面９０に載置される。
【００７３】
印刷開始の指示を受け付けると、プリンタ部１１は不図示のモータを駆動して、バイパストレイ７０の給送ローラ（不図示）、第１搬送ローラ対５４、及び第２搬送ローラ対５５を所定のタイミングで回転させる。給送ローラの回転を受けて、バイパストレイ７０から最上位置の記録用紙がバイパス経路６６に沿って給送される。
【００７４】
バイパス経路６６に沿って給送された記録用紙は、内側位置のガイド部材３４のリブ８５に沿って案内されて、バイパス経路６６から更に搬送経路６５の直線路６５Ｂに沿って搬送され、第１搬送ローラ対５４に到達する。内側位置のガイド部材３４の回動先端８１は、外側ガイド部材１８に支持されているので、バイパス経路６６に沿って搬送される記録用紙がガイド部材３４に摺接しても、ガイド部材３４が内側位置から更に湾曲内側へ回動することはない。第１搬送ローラ対５４に挟持されて記録部２４へ搬送された記録用紙に対して、記録ヘッド３９からインク滴が吐出されて所望の画像が記録される。画像記録を終えた記録用紙は、第２搬送ローラ対５５に挟持されて直線路６５Ｂに沿って搬送され、排出トレイ２１上へ排出される。
【００７５】
［搬送経路８０の開放］
以下、搬送経路８０が開放される動作が説明される。搬送経路８０において紙詰まりが生じたときやメンテナンスが必要なときに、搬送経路８０が開放される。
【００７６】
図７に示されるように、起立状態のガイド部材２２においてガイド部材３４は自重によって内側位置に位置している。図９に示されるように、起立状態のガイド部材２２が軸７６周りに回動されることにより、ガイド部材３４の回動先端８１が外側ガイド部材１８から離れる。その結果、ガイド部材３４は更に湾曲内側へ軸７６周りに回動して、ガイド部材２２との当接により規定される回動限界まで回動する。つまり、ガイド部材３４の回動先端８１は、ガイド部材２２が起立状態であるときの内側位置、すなわち外側ガイド部材１８に載っている位置から、更に湾曲内側の位置する。このように、ガイド部材３４の回動先端８１が最も湾曲内側に位置することによって、ガイド部材２２の軸７６から径方向へガイド部材３４が最も離れる位置、すなわち軸７６周りにガイド部材３４が回動する軌跡の半径が最も小さくなる。回動先端８１が最も内側位置となったガイド部材３４は、バイパストレイ７０と当接することなく、ガイド部材２２と共に搬送経路８０を開放する向きへ回動される。このガイド部材３４の回動先端８１が最も内側となる位置が第５位置に相当する。
【００７７】
ガイド部材２２が倒伏状態から起立状態へ回動されるときには、回動先端８１が最も内側位置となっている状態のガイド部材３４は、回動先端８１が外側ガイド部材１８に当接する。その状態においてガイド部材２２が起立状態まで回動されると、回動先端８１がガイド部材１８に摺接することによって、ガイド部材３４は、最も内側位置から、図７に示されるように外側ガイド部材１８に載った位置まで回動される。
【００７８】
［実施形態の効果］
本実施形態によれば、ガイド部材２２の回動先端に、ガイド部材３４が回動可能に設けられており、ガイド部材３４の回動先端８１によって、記録用紙１００がガイド部材２２の端８３より搬送向き下流側まで案内される。また、ガイド部材２２が起立状態から倒伏状態へ回動されるときに、ガイド部材３４が内側位置に位置されることによって、ガイド部材３４の軸８２周りの回動軌跡が小さくなる。これにより、記録用紙１００の搬送への影響を少なくしつつ、ガイド部材２２，３４の回動軌跡を小さくすることができる。
【００７９】
また、ガイド部材３４は、リブ８４によって給送カセット３０から供給された記録用紙を案内し、リブ８５によってバイパストレイ７０から供給された記録用紙を案内するので、ガイド部材３４が、搬送経路８０及びバイパス経路６６のそれぞれのガイド面として機能する。
【００８０】
また、ガイド部材３４は、ガイド部材２２の左右方向９の中央の一部に配置されているので、ガイド部材３４を小さくして軽量化が図られ、ガイド部材３４が容易に回動可能となる。
【００８１】
また、ガイド部材２２の左右方向９の中央に配置されたリブ７７Ａが、その他のリブ７７より外側ガイド部材１８へ向かって突出しているので、ガイド部材３４と当接する記録用紙１００の左右方向９の中央部分が主としてリブ７７Ａによってガイド部材３４へ案内される。
【００８２】
また、ガイド部材３４の回動先端８１は、ガイド部材２２の端８３より第１搬送ローラ６０の近傍に位置しているので、記録用紙１００が第１搬送ローラ６０に当接する位置が安定する。
【００８３】
また、起立状態のガイド部材２２が倒伏状態へ回動されると、ガイド部材３４の回動先端８１が外側ガイド部材１８から離れて、外側ガイド部材１８と当接する位置より更に湾曲内側の位置へ回動するので、ガイド部材２２の回動軌跡が更に小さくなる。
【符号の説明】
【００８４】
１１  プリンタ部（画像記録装置）
１４  筐体
１８  外側ガイド部材（第２ガイド部材）
２２  ガイド部材（第１ガイド部材）
２４  記録部
３０  給紙カセット（第１トレイ）
３４  ガイド部材（第３ガイド部材）
４５  給送ローラ
６０  第１搬送ローラ（搬送ローラ）
６５Ｂ  直線路（延出部分）
６６  バイパス経路（第２搬送路）
７０  バイパストレイ（第２トレイ）
７７，７７Ａ  リブ
８０  搬送経路（湾曲部分）
８１  回動先端
８３  端
【図１】
2015110461.tif 000003
【図２】
2015110461.tif 000004
【図３】
2015110461.tif 000005
【図４】
2015110461.tif 000006
【図５】
2015110461.tif 000007
【図６】
2015110461.tif 000008
【図７】
2015110461.tif 000009
【図８】
2015110461.tif 000010
【図９】
2015110461.tif 000011
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
シートが載置される第１トレイと、
上記第１トレイから上側へ湾曲した湾曲部分及び当該湾曲部分に連続する延出部分を有する第１搬送路を有する筐体と、
上記第１トレイからシートを上記第１搬送路に沿って給送する給送ローラと、
上記第１搬送路において上記給送ローラの搬送向き下流側に配置されており、シートを搬送する搬送ローラと、
上記第１搬送路において上記搬送ローラの上記搬送向き下流側に配置されており、上記第１搬送路の延出部分を搬送されるシートに画像を記録する記録部と、
上記搬送ローラより上記搬送向き上流側に配置されており、上記第１搬送路の湾曲部分の外側を規定するとともに、上記搬送向きの上流側を軸とし上記搬送向きの下流側を回動先端側として回動されることによって、上記湾曲部分を規定する第１位置、及び上記湾曲部分を開放する第２位置に移動可能な第１ガイド部材と、
上記第１搬送路の湾曲部分の内側を規定する第２ガイド部材と、
上記第１ガイド部材の回動先端側に回動可能に設けられて、その回動先端が上記第１ガイド部材の回動先端から上記搬送向きへ突出されており、その回動先端が上記第１ガイド部材に対して湾曲外側に位置する第３位置、及びその回動先端が当該第３位置より上記第１ガイド部材に対して湾曲内側に位置する第４位置に移動可能な第３ガイド部材と、を備えた画像記録装置。
【請求項２】
シートが載置される第２トレイと、
上記筐体に設けられており、上記第２トレイから延出されており、上記搬送ローラより上記搬送向き上流側において上記第１搬送路と接続される第２搬送路と、を更に具備しており、
上記第３ガイド部材は、上記第１ガイド部材に対して湾曲内側を向いた第１面により上記第１トレイから供給されたシートを案内し、上記第１ガイド部材に対して湾曲外側を向いた第２面により上記第２トレイから供給されたシートを案内するものである請求項１に記載の画像記録装置。
【請求項３】
上記第３ガイド部材は、上記第１ガイド部材において上記搬送向きと直交する幅方向の一部に配置されたものである請求項１又は２に記載の画像記録装置。
【請求項４】
上記第１ガイド部材に、上記第２ガイド部材側へ突出して上記搬送向きに沿って延びるリブが設けられており、上記幅方向において上記第３ガイド部材に対応する位置のリブは、その両側に配置されたリブより上記第２ガイド部材側へ突出している請求項３に記載の画像記録装置。
【請求項５】
上記第１位置の上記第１ガイド部材において、上記第３ガイド部材の回動先端は、上記搬送ローラの近傍に位置する請求項１から４のいずれかに記載の画像記録装置。
【請求項６】
上記第１位置の上記第１ガイド部材において、上記第３ガイド部材の回動先端は、上記第２ガイド部材と当接することによって上記第４位置に支持され、
上記第１位置から上記第２位置へ上記第１ガイド部材が移動して、上記第３ガイド部材の回動先端が上記第２ガイド部材から離れることによって、上記第３ガイド部材回動先端は、上記第４位置より上記第１ガイド部材に対して湾曲内側に位置する第５位置に移動する請求項１から５のいずれかに記載の画像記録装置。
【手続補正２】
【補正対象書類名】明細書
【補正対象項目名】０００４
【補正方法】変更
【補正の内容】
【０００４】
【特許文献１】特開２０１３−１６６６２３号公報
【特許文献２】特開２０１０−１７３８４１号公報
【手続補正３】
【補正対象書類名】明細書
【補正対象項目名】０００８
【補正方法】変更
【補正の内容】
【０００８】
(1)  本発明に係る画像記録装置は、シートが載置される第１トレイと、上記第１トレイから上側へ湾曲した湾曲部分及び当該湾曲部分に連続する延出部分を有する第１搬送路を有する筐体と、上記第１トレイからシートを上記第１搬送路に沿って給送する給送ローラと、上記第１搬送路において上記給送ローラの搬送向き下流側に配置されており、シートを搬送する搬送ローラと、上記第１搬送路において上記搬送ローラの上記搬送向き下流側に配置されており、上記第１搬送路の延出部分を搬送されるシートに画像を記録する記録部と、上記搬送ローラより上記搬送向き上流側に配置されており、上記第１搬送路の湾曲部分の外側を規定するとともに、上記搬送向きの上流側を軸とし上記搬送向きの下流側を回動先端側として回動されることによって、上記湾曲部分を規定する第１位置、及び上記湾曲部分を開放する第２位置に移動可能な第１ガイド部材と、上記第１搬送路の湾曲部分の内側を規定する第２ガイド部材と、上記第１ガイド部材の回動先端側に回動可能に設けられて、その回動先端が上記第１ガイド部材の回動先端から上記搬送向きへ突出されており、その回動先端が上記第１ガイド部材に対して湾曲外側に位置する第３位置、及びその回動先端が当該第３位置より上記第１ガイド部材に対して湾曲内側に位置する第４位置に移動可能な第３ガイド部材と、を具備する。
【手続補正４】
【補正対象書類名】明細書
【補正対象項目名】００１１
【補正方法】変更
【補正の内容】
【００１１】
(2)  上記画像記録装置は、シートが載置される第２トレイと、上記筐体に設けられており、上記第２トレイから延出されており、上記搬送ローラより上記搬送向き上流側において上記第１搬送路と接続される第２搬送路と、を更に具備しており、上記第３ガイド部材は、上記第１ガイド部材に対して湾曲内側を向いた第１面により上記第１トレイから供給されたシートを案内し、上記第１ガイド部材に対して湾曲外側を向いた第２面により上記第２トレイから供給されたシートを案内するものであってもよい。